(57)【要約】【課題】印刷コストを抑制でき、また鉛筆書きの部分の視認性を向上させる画像処理プログラム及び画像処理方法を提供する。【解決手段】任意の色空間で特定された原画像データを複数の色空間で特定される画像データに処理し、当該それぞれの画像データから目的とする色の二値データを抽出する。【選択図】  図１
2004200747.tif 000002
【特許請求の範囲】
【請求項１】
任意の色空間で特定された原画像データを複数の色空間で特定される画像データに処理し、当該それぞれの画像データから目的とする色の二値データを抽出するステップをコンピュータに実行させるための画像処理プログラム。
【請求項２】
任意の色空間で特定された原画像データを、当該原画像データの色空間が第１の色空間と異なる場合にのみ第１の色空間で特定される第１の画像データに変換するステップと、
前記原画像データを、当該原画像データの色空間が第２の色空間と異なる場合にのみ第２の色空間で特定される第２の画像データに変換するステップと、
前記第１の画像データから目的とする第１色の二値データを抽出するステップと、
前記第２の画像データから目的とする第２色の二値データを抽出するステップと、をコンピュータに実行させるための画像処理プログラム。
【請求項３】
前記第１色の二値データと前記第２色の二値データとを印刷システムのデータ形式に編集するステップをさらに有する請求項２記載の画像処理プログラム。
【請求項４】
前記第１色の二値データと前記第２色の二値データとをディスプレイシステムのデータ形式に編集するステップをさらに有する請求項２記載の画像処理プログラム。
【請求項５】
ＲＧＢ色空間で特定された原画像データを、ＣＭＹ色空間で特定される第１の画像データに変換するステップと、
前記原画像データを、Ｌａｂ色空間で特定される第２の画像データに変換するステップと、
前記第１の画像データから目的とする黒色の二値データを抽出するステップと、
前記第２の画像データから目的とする赤色の二値データを抽出するステップと、をコンピュータに実行させるための画像処理プログラム。
【請求項６】
任意の色空間で特定された原画像データを複数の色空間で特定される画像データに処理し、当該それぞれの画像データから目的とする色の二値データを抽出することを特徴とする画像処理方法。
【請求項７】
任意の色空間で特定された原画像データを、当該原画像データの色空間が第１の色空間と異なる場合にのみ第１の色空間で特定される第１の画像データに変換するステップと、
前記原画像データを、当該原画像データの色空間が第２の色空間と異なる場合にのみ第２の色空間で特定される第２の画像データに変換するステップと、
前記第１の画像データから目的とする第１色の二値データを抽出するステップと、
前記第２の画像データから目的とする第２色の二値データを抽出するステップと、を有する画像処理方法。
【請求項８】
前記第１色の二値データと前記第２色の二値データとを印刷システムのデータ形式に編集するステップをさらに有する請求項７記載の画像処理方法。
【請求項９】
前記第１色の二値データと前記第２色の二値データとをディスプレイシステムのデータ形式に編集するステップをさらに有する請求項７記載の画像処理方法。
【請求項１０】
ＲＧＢ色空間で特定された原画像データを、ＣＭＹ色空間で特定される第１の画像データに変換するステップと、
前記原画像データを、Ｌａｂ色空間で特定される第２の画像データに変換するステップと、
前記第１の画像データから目的とする黒色の二値データを抽出するステップと、
前記第２の画像データから目的とする赤色の二値データを抽出するステップと、を有する画像処理方法。
【発明の詳細な説明】
【０００１】
【発明の属する技術分野】
本発明は、任意の色空間で特定された画像データを複数の色空間で特定される画像データにそれぞれ変換し、この変換された画像データから所望の色を抽出して２色若しくはそれ以上の色の印刷又は２色若しくはそれ以上の色をディスプレイに表示するための画像処理プログラム及び画像処理方法に関する。
【０００２】
【従来の技術及び発明が解決しようとする課題】
各種学校の予備校や学習塾においては、入学試験等の模擬試験を実施し、添削及び採点をしたのち受講生に解答用紙を返却することが行われている。この場合、添削及び採点を行った解答用紙の原紙は予備校や学習塾で保管し、複写物を受講生に返却することがある。
【０００３】
従来は、赤色の鉛筆またはサインペンで添削及び採点された解答用紙の原紙をスキャナで読み取り、これをデジタル処理してカラー印刷するが、解答用紙に表れる色が黒色と赤色の２色であるにも拘わらず一般的なカラープリンタはＣＭＹＫの４色を用いたフルカラープリンタであることから、ＣＭＹＫ４色の現像剤（トナー）を使用するために印刷コストが高くなるといった問題があった。
【０００４】
また、実際の解答用紙においては、事前に印刷された出題部分の印字が濃い黒色であるのに対し、受講生が回答した部分は鉛筆で書かれた少し薄い黒色であることから、これをスキャナで読み取ってカラープリンタで印刷すると、鉛筆で書かれた部分がそのまま薄い黒色に印刷され、視認し難いといった問題もあった。
【０００５】
【課題を解決するための手段】
本発明は、印刷コストを抑制でき、また鉛筆書きの部分の視認性を向上させる画像処理プログラム及び画像処理方法を提供することを目的とする。
【０００６】
上記目的を達成するために、本発明によれば、任意の色空間で特定された原画像データを複数の色空間で特定される画像データに処理し、当該それぞれの画像データから目的とする色の二値データを抽出するステップをコンピュータに実行させるための画像処理プログラムが提供される。
【０００７】
また、本発明によれば、任意の色空間で特定された原画像データを、当該原画像データの色空間が第１の色空間と異なる場合にのみ第１の色空間で特定される第１の画像データに変換するステップと、前記原画像データを、当該原画像データの色空間が第２の色空間と異なる場合にのみ第２の色空間で特定される第２の画像データに変換するステップと、前記第１の画像データから目的とする第１色の二値データを抽出するステップと、前記第２の画像データから目的とする第２色の二値データを抽出するステップと、をコンピュータに実行させるための画像処理プログラムが提供される。
【０００８】
また、本発明によれば、任意の色空間で特定された原画像データを複数の色空間で特定される画像データに処理し、当該それぞれの画像データから目的とする色の二値データを抽出することを特徴とする画像処理方法が提供される。
【０００９】
また、本発明によれば、任意の色空間で特定された原画像データを、当該原画像データの色空間が第１の色空間と異なる場合にのみ第１の色空間で特定される第１の画像データに変換するステップと、前記原画像データを、当該原画像データの色空間が第２の色空間と異なる場合にのみ第２の色空間で特定される第２の画像データに変換するステップと、前記第１の画像データから目的とする第１色の二値データを抽出するステップと、前記第２の画像データから目的とする第２色の二値データを抽出するステップと、を有する画像処理方法が提供される。
【００１０】
本発明の画像処理プログラム及び画像処理方法では、ＲＧＢやＣＭＹなどの任意の色空間で特定された原画像データを、複数の色空間で特定される画像データに処理し、当該それぞれの画像データから目的とする色の二値データを抽出するので、得られた二値データを用いて印刷すれば、目的とする色の現像剤のみによって印刷することができ、印刷コストを低減することができる。
【００１１】
また、原画像データに、たとえば濃い黒色と薄い黒色というように、同系統の色であって濃度の異なる画像データが含まれていても、それら全てを二値データとして抽出するため濃度を同等にできるので、視認性が良い印刷またはディスプレイ表示を行うことができる。
【００１２】
さらに、原画像データから複数の色空間で特定される画像データに変換する際に、異なる色空間で特定される画像データに変換すれば、印刷またはディスプレイ表示をしたときに、目的とする色の交差部に色欠けが生じるのを防止することができる。
【００１３】
【発明の実施の形態】
以下、本発明の実施形態を図面に基づいて説明する。
【００１４】
第１実施形態
図１は本発明の画像処理方法の第１実施形態を示すフローチャート、図７は本発明の画像処理方法で用いられる原稿を示す図である。以下においては、図７に示す解答用紙を例に挙げて本発明の実施形態を説明する。
【００１５】
図７に示す解答用紙１は、事前に黒色のインクで回答枠や問題番号が印刷された解答用紙の原紙に、受講生が鉛筆で回答を記入し、さらにこれを赤色のサインペンで添削及び採点をしたものである。同図において、濃い黒色で示されている枠や問題番号１１が事前に黒色インクで印刷された部分であり、これより薄く見える黒色で示されている回答１２が、受講生が鉛筆書きした部分であり、これとほぼ同等の濃度の黒色で示されている正解の丸印や不正解の×印１３が、実際には赤色サインペンで採点者が記入した部分である。
【００１６】
本実施形態では、図１に示すステップ１において、上述した解答用紙１をカラースキャナまたはデジタルカメラで取り込む。本例では、カラースキャナ及びデジタルカメラともにＲＧＢ色空間で特定される画像データ（以下、単にＲＧＢ画像データともいう。）として出力される。ステップ２では、このＲＧＢ画像データを保存する。
【００１７】
次のステップ３では、ＲＧＢ画像データとして保存されている解答用紙の原稿の画像データを、ＣＭＹ色空間で特定される画像データ（以下、単にＣＭＹ(Ｋ)画像データともいう。）に変換する。この変換処理は下記数式（１）により実行される。
【００１８】
【数１】
Ｃ＝Ｇ＋Ｂ
Ｍ＝Ｂ＋Ｒ          …（１）
Ｙ＝Ｒ＋Ｇ
次のステップ４では、ステップ３で変換処理されたＣＭＹ(Ｋ)画像データのうちのシアン（Ｃ）成分から、しきい値３０％以上の二値画像データを抽出する。これは、赤色のシアン成分の値は黒色のシアン成分の値よりかなり小さいことに着目したもので、ＣＭＹ(Ｋ)画像データのうちのシアン成分が大きい部分のみを抽出することで黒色の部分のみが抽出され、赤色の部分と分離することができる。
【００１９】
次のステップ５にて、黒色のみが抽出された二値画像データを黒版用印刷画像データとして保存する。
【００２０】
一方、ステップ６では、ＲＧＢ画像データとして保存されている解答用紙の原稿の画像データを、Ｌａｂ色空間で特定される画像データ（以下、単にＬａｂ画像データともいう。）に変換する。この変換処理はＪＩＳ Ｚ８７２９−１９９４ に基づいた変換により実行される。なお、後述するステップ７の処理においてａ成分のみをしきい値とする場合には、少なくともａ成分を変換すればよい。
【００２１】
次のステップ７では、ステップ６で変換処理されたＬａｂ画像データのうちのａ成分から、しきい値２０以上の二値画像データを抽出する。これは、Ｌａｂ表色系においてａ成分は、赤色〜緑色を表す軸成分であり、＋は赤色方向、−は緑色方向を示すので、ａ≧２０の画像データを抽出することで赤色の部分のみが抽出され、その他の色の部分と分離することができる。
【００２２】
次のステップ８にて、赤色のみが抽出された二値画像データを赤版用印刷画像データとして保存する。これら黒版用印刷画像データ及び赤版用印刷画像データは印刷画像データとして管理される。
【００２３】
ステップ９では、ステップ５及びステップ８で保存した黒版用印刷画像データと赤版用印刷画像データとを２色印刷システムの印刷データ形式に編集する。この２色印刷システムは、黒色インクを用いて印刷する第１のドラムと、赤色インクを用いて印刷する第２のドラムとを備え、第１のドラムでは黒版用印刷画像データに基づいて黒色のみを印刷し、続いて第２のドラムでは赤版用印刷画像データに基づいて赤色のみを印刷する。
【００２４】
解答用紙１をスキャナやデジタルカメラで読み込んだＲＧＢ画像データは不明瞭な赤黒イメージであるものの、このようにして得られた２色印刷物は、きわめて明瞭な赤黒印字となる。また、目的とする２色のインクのみを使用すれば足りるので無駄なインクの使用を抑えて低価格で印刷することができる。
【００２５】
さらに、黒版用印刷画像データは二値データであることから、事前に印刷された部分も鉛筆書きされた部分も同程度の濃度で印刷することになり、視認性が向上することになる。
【００２６】
また、本実施形態では、ＲＧＢ画像データとして取り込まれた画像データを、互いに異なる色空間で特定される画像データ、すなわち黒色はＣＭＹ色空間、赤色はＬａｂ色空間の画像データにそれぞれ変換し、それぞれの画像データから黒色と赤色を抽出する。したがって、たとえば解答用紙１において黒色と赤色が交差した部分（図７において１４の部分）では、一般的な分版処理を行うと、何れか一方の色のみの画像データとなり、この部分については他方の色の画像データが欠落することになり、第１のドラムによる印字位置と第２のドラムによる印字位置がずれると印字の欠落が生じる。しかしながら、本実施形態では、互いに異なる色空間で特定される画像データに変換し、ここから黒色と赤色とをそれぞれ抽出するように構成しているので、２色の交差部分についても何れの画像データも欠落することがなく、したがって印字位置が多少ずれても印字の欠落が生じることはない。
【００２７】
なお、図１に示すステップ４のしきい値Ｘ＝３０％及びステップ７のしきい値Ｙ＝２０は一例であって、画像処理する解答用紙１の黒色及び赤色の濃度等に応じて適宜変更できるものであるが、本例でしきい値Ｘ，Ｙを上述した値に設定した根拠を以下に示す。
【００２８】
図７に示す解答用紙１の赤色サインペンで手書きされた数字「２３」の部分１５１を測定したものをＣＭＹ色空間で表すと、Ｃ＝１４％、Ｍ＝７６％、Ｙ＝４５％、（Ｋ＝３％）であった。また、事前印刷された濃い黒色の枠部分１５２を測定したものを同じくＣＭＹ色空間で表すと、Ｃ＝６２％、Ｍ＝５１％、Ｙ＝４９％、（Ｋ＝６４％）であり、同様にして、鉛筆書きされた薄い黒色の文字「自」の部分１５３は、Ｃ＝５９％、Ｍ＝５１％、Ｙ＝４８％、（Ｋ＝５７％）、赤色サインペンで手書きされた赤色の斜線の部分１５４は、Ｃ＝２４％、Ｍ＝７３％、Ｙ＝４８％、（Ｋ＝２０％）、黒色の枠と赤色の交差部１５５は、Ｃ＝４０％、Ｍ＝６７％、Ｙ＝５９％、（Ｋ＝５８％）であった。したがって、Ｃ成分が３０％以上の画像データを抽出すると、赤色の数字「２３」の部分１５１と、同じく赤色の斜線の部分１５４とが除かれ、事前印刷された濃い黒色の枠部分１５２と、鉛筆書きされた薄い黒色の文字「自」の部分１５３と、黒色の枠と赤色の交差部１５５とが抽出される。この二値データを黒版用印刷画像データとして使用するので、事前印刷された濃い黒色の枠部分１５２と、鉛筆書きされた薄い黒色の文字「自」の部分１５３とが同等の濃度で印刷され、視認性が向上する。
【００２９】
一方、図７に示す解答用紙１の赤色サインペンで手書きされた数字「２３」の部分１５１を測定したものをＬａｂ色空間で表すと、Ｌ＝５８、ａ＝７０、ｂ＝６であった。また、事前印刷された濃い黒色の枠部分１５２を測定したものを同じくＬａｂ色空間で表すと、Ｌ＝２０、ａ＝０、ｂ＝０であり、同様にして、鉛筆書きされた薄い黒色の文字「自」の部分１５３は、Ｌ＝４５、ａ＝０、ｂ＝０、赤色サインペンで手書きされた赤色の斜線の部分１５４は、Ｌ＝４９、ａ＝５０、ｂ＝４０、黒色の枠と赤色の交差部１５５は、Ｌ＝１９、ａ＝２０、ｂ＝９であった。したがって、ａ成分が２０以上の画像データを抽出すると、事前印刷された濃い黒色の枠部分１５２と、鉛筆書きされた薄い黒色の文字「自」の部分１５３とが除かれ、赤色の数字「２３」の部分１５１と、同じく赤色の斜線の部分１５４と、黒色の枠と赤色の交差部１５５とが抽出される。
【００３０】
特に、黒色の枠と赤色の交差部１５５の二値データは、上述したＣＭＹ色空間及びＬａｂ色空間の何れにおいても抽出されるので、２色印刷システムにて印刷する際に第１色目と第２色目に位置ずれが生じても印刷の欠落が生じることはない。
【００３１】
第２実施形態
図２は本発明の画像処理方法の第２実施形態を示すフローチャートであり、本例のステップ１１では、カラースキャナによりＣＭＹ色空間で特定される画像データとして出力される。ステップ１２では、このＣＭＹＫ画像データを保存する。このステップ１２で保存された画像データは既にＣＭＹＫ画像データであることから、次のステップ１３では、このＣＭＹＫ画像データのうちのシアン（Ｃ）成分から、しきい値３０％以上の二値画像データを抽出する。そして、ステップ１４にて、黒色のみが抽出された二値画像データを黒版用印刷画像データとして保存する。
【００３２】
一方、ステップ１５では、ＣＭＹＫ画像データとして保存されている解答用紙の原稿の画像データを、Ｌａｂ色空間で特定される画像データに変換する。この変換処理はＪＩＳ Ｚ８７２９−１９９４ に基づいて変換される。なおこの場合も、後述するステップ１６の処理においてａ成分のみをしきい値とする場合には、少なくともａ成分を変換すればよい。
【００３３】
以下のステップ１７〜１９は上述した第１実施形態のステップ８〜１０と同じ処理である。
【００３４】
第３実施形態
図３は本発明の画像処理方法の第３実施形態を示すフローチャートであり、黒色及び赤色の２色に限定されない所望の２色印刷を行う一例である。本例のステップ２１〜２２は、上述した第１実施形態と同じであるが、ステップ２３〜２５及びステップ２６〜２８にて得られるＡ色版用印刷画像データ及びＢ色版用印刷画像データは、何れもＬａｂ画像データから抽出される。
【００３５】
すなわち、ステップ２３では、ステップ２２で保存されたＲＧＢ画像データをＬａｂ画像データに変換し、次のステップ２４にてたとえばａ成分から特定色Ａのしきい値を用いて当該特定色Ａの二値データを抽出し、ステップ２５にてこれをＡ色版用印刷画像データとして保存する。一方、ステップ２６では、ステップ２２で保存されたＲＧＢ画像データをＬａｂ画像データに変換し、次のステップ２７にてたとえばｂ成分から特定色Ｂのしきい値を用いて当該特定色Ｂの二値データを抽出し、ステップ２８にてこれをＢ色版用印刷画像データとして保存する。以下のステップ２９〜３０は上述した第１実施形態のステップ９〜１０と同じ処理である。
【００３６】
このように、本実施形態によれば、任意の２色の二値データを抽出して印刷データとして利用することができる。
【００３７】
第４〜６実施形態
図４は本発明の画像処理方法の第４実施形態を示すフローチャートであり、本例では得られた二値データを用いて印刷に代えて画面表示やＷｅｂ配信を行うものである。すなわち、ステップ３１〜３４は上述した第１実施形態のステップ１〜４と同じであるが、ステップ３５にて、ステップ３４で抽出された黒色の二値データをＲＧＢ画像データに再変換する。また、ステップ３６〜３７も上述した第１実施形態のステップ６〜７と同じであるが、ステップ３８にて、ステップ３７で抽出された赤色の二値データをＲＧＢ画像データに再変換する。そして、ステップ３９にて、これらのＲＧＢ画像データにマージ処理を施し、ＲＧＢ画像データとして保存し、ステップ４０ではこれを画面表示用として用いたり、インターネットなどの通信回線網を用いて配信したりする。
【００３８】
なお、図５は本発明の画像処理方法の第５実施形態を示すフローチャートであり、第２実施形態と第４実施形態とを組み合わせたもの、図６は本発明の画像処理方法の第６実施形態を示すフローチャートであり、第３実施形態と第４実施形態とを組み合わせたものである。
【００３９】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００４０】
【発明の効果】
以上述べたように本発明によれば、印刷コストを抑制でき、また鉛筆書きの部分の視認性に優れた画像処理プログラム及び画像処理方法を提供することができる。
【図面の簡単な説明】
【図１】本発明の画像処理方法の第１実施形態を示すフローチャートである。
【図２】本発明の画像処理方法の第２実施形態を示すフローチャートである。
【図３】本発明の画像処理方法の第３実施形態を示すフローチャートである。
【図４】本発明の画像処理方法の第４実施形態を示すフローチャートである。
【図５】本発明の画像処理方法の第５実施形態を示すフローチャートである。
【図６】本発明の画像処理方法の第６実施形態を示すフローチャートである。
【図７】本発明の画像処理方法で用いられる原稿を示す図である。
【符号の説明】
１…解答用紙
【図１】
2004200747.tif 000003
【図２】
2004200747.tif 000004
【図３】
2004200747.tif 000005
【図４】
2004200747.tif 000006
【図５】
2004200747.tif 000007
【図６】
2004200747.tif 000008
【図７】
2004200747.tif 000009